【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
スイッチング電源であって、
スイッチング信号に応答して出力信号を提供する電力段と、
前記出力信号を監視し、前記出力信号をレギュレートするために前記スイッチング信号を調節するためのフィードバック誤差信号を提供する、フィードバックループと、
前記フィードバックループが前記フィードバック誤差信号を提供するために充分な時間を有するまで、前記スイッチング電源の低電力モードから高電力モードへの遷移期間の間に、シミュレートされたフィードバック誤差信号を一時的に提供するシミュレートされたフィードバック誤差生成器と、
前記フィードバックループから分離され、前記低電力モードの間に前記フィードバックループをディセーブルし、前記低電力モードの間に前記スイッチング信号を前記電力段に供給する低電力コントローラと、
を含む、スイッチング電源。
【請求項２】
請求項１に記載のスイッチング電源であって、
前記フィードバックループが、高電力モードの間に、前記スイッチング電源のデューティサイクルを設定するために前記フィードバックループにおける誤差を監視する、スイッチング電源。
【請求項３】
請求項１に記載のスイッチング電源であって、
前記低電力コントローラが、前記遷移期間の間に、前記シミュレートされたフィードバック誤差信号を提供するために、前記シミュレートされたフィードバック誤差生成器をイネーブルする、スイッチング電源。
【請求項４】
請求項１に記載のスイッチング電源であって、
前記フィードバックループが、前記低電力モードと前記遷移期間の間に、前記フィードバックループを短絡させるためのスイッチを含む、スイッチング電源。
【請求項５】
請求項１に記載のスイッチング電源であって、
前記フィードバックループが、電圧フィードバックループと電流フィードバックループとの両方を更に含み、前記電圧フィードバックループが前記出力信号の電圧を調節するために前記スイッチング電源のデューティサイクルを改変し、前記電流ループフィードバックループが前記出力信号の電流を調節するために前記デューティサイクルを改変する、スイッチング電源。
【請求項６】
請求項１に記載のスイッチング電源であって、
事前確立された最小電圧と事前確立された最大電圧との間で前記フィードバックループをクランプするための電圧クランプを更に含む、スイッチング電源。
【請求項７】
請求項１に記載のスイッチング電源であって、
前記シミュレートされたフィードバック誤差生成器が、前記スイッチング電源の温度と前記スイッチング電源に印加される基準電圧と前記スイッチング電源のスイッチング周波数とのうちの少なくとも１つに基づいて、遷移期間の間に、前記シミュレートされたフィードバック誤差信号を決定する、スイッチング電源。
【請求項８】
請求項１に記載のスイッチング電源を含む自動車。
【請求項９】
スイッチング電源のための出力信号を提供するための方法であって、
高電力モードにおいてフィードバックループからの高電力スイッチング信号に応答して電力段からの前記出力信号を生成することと、
前記出力信号を継続的にレギュレートするために前記高電力スイッチング信号を調節するために、前記出力信号に関連付けられるフィードバック誤差信号を提供することと、
前記フィードバックループをディセーブルすることによって低電力モードの間に前記フィードバック誤差信号をディセーブルすることと、
前記低電力モードの間に、前記フィードバックループから分離された低電力コントローラから前記電力段に低電力スイッチング信号を供給することと、
前記フィードバック誤差信号に関連付けられる回路要素が遷移して前記フィードバック誤差信号の提供に戻るまで、前記スイッチング電源の前記低電力モードから高電力モードへの遷移期間の間に、シミュレートされたフィードバック誤差信号を一時的に提供することと、
を含む、方法。
【請求項１０】
請求項９に記載の方法であって、
前記高電力モードの間に、前記スイッチング電源のデューティサイクルを設定するため前記フィードバック誤差信号を監視することを更に含む、方法。
【請求項１１】
請求項１０に記載の方法であって、
前記高電力モードの間に、前記フィードバック誤差信号に基づいて前記出力信号の電圧を調節するため前記スイッチング電源の前記デューティサイクルを設定することを更に含む、方法。
【請求項１２】
請求項１０に記載の方法であって、
前記高電力モードの間に、前記フィードバック誤差信号に基づいて前記出力信号の電流を調節するため前記スイッチング電源の前記デューティサイクルを設定することを更に含む、方法。
【請求項１３】
請求項９に記載の方法であって、
前記低電力モードと前記遷移期間の間に、前記スイッチング電源のフィードバックループを短絡させることを更に含む、方法。
【請求項１４】
請求項９に記載の方法であって、
事前確立された最小電圧と事前確立された最大電圧との間で前記スイッチング電源のフィードバックループをクランピングすることを更に含む、方法。
【請求項１５】
請求項９に記載の方法であって、
前記スイッチング電源の温度と前記スイッチング電源に印加される基準電圧と前記スイッチング電源のスイッチング周波数とのうちの少なくとも１つに基づいて、前記遷移期間の間に、前記シミュレートされたフィードバック誤差信号を決定することを更に含む、方法。
【請求項１６】
請求項９に記載の方法であって、
前記低電力モードと前記遷移期間の間に、前記スイッチング電源の電流ループ増幅器と電圧ループ増幅器とを短絡させることを更に含む、方法。
【請求項１７】
スイッチング電源であって、
高電力モードの間に、前記スイッチング電源により生成される電圧誤差の量を示す電圧誤差振幅電圧を生成するための電圧ループ増幅器と、
前記高電力モードの間に、前記スイッチング電源により生成される電流誤差の量を示す電流誤差振幅電圧を生成するための電流ループ増幅器と、
前記スイッチング電源の低電力モードと前記高電力モードとの間の遷移期間の間に、プリチャージ電圧を決定して前記電流ループ増幅器の出力に印加するためのプリチャージ電圧生成器であって、前記高電力モードへの変更が、遷移期間の間に印加される前記プリチャージ電圧をディセーブルする、前記プリチャージ電圧生成器と、
前記遷移期間から前記高電力モードに変更するときに前記電流ループ増幅器の出力から前記プリチャージ電圧生成器を切り替え可能に切断するための、前記プリチャージ電圧生成器の出力におけるスイッチと、
前記低電力モードと前記高電力モードとの間の遷移期間の間に、電流振幅電圧を前記電圧ループ増幅器の出力に印加するための電流感知要素であって、前記高電力モードへの変更が、前記遷移期間の間に、前記電流感知要素により印加される前記電流振幅電圧をディセーブルする、前記電流感知要素と、
を含む、スイッチング電源。
【請求項１８】
請求項１７に記載のスイッチング電源であって、
前記プリチャージ電圧生成器が、前記デバイスの温度と前記デバイスに対する基準電圧と前記デバイスのスイッチング周波数とのうちの少なくとも１つに基づいて、前記遷移期間の間に、前記プリチャージ電圧を決定する、スイッチング電源。
【請求項１９】
請求項１７に記載のスイッチング電源であって、
前記低電力モードと前記遷移期間の間に、前記電圧ループ増幅器を短絡させるための、前記電圧ループ増幅器の入力における第２のスイッチを更に含む、スイッチング電源。